【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  重合条件下に、オレフィン及び／又はオレフィンと少なくとも１種もしくはそれ以上の他のオレフィンとを、オレフィン重合触媒及び一酸化二窒素と接触させることを含んでなり、一酸化二窒素の不存在下に得られる静電荷のレベルよりも低いレベルに重合媒体中の静電荷を減少させるのに充分な量で一酸化二窒素が存在する、オレフィン及び／又はオレフィンと少なくとも１種又はそれ以上の他のオレフィンの重合方法。
【請求項２】  前記オレフィン重合触媒が本明細書中で定義した元素の周期表の第３族、第４族、第５族、第６族、第７族、第８族、第９族、第１０族、第１１族、第１２族及び／又は第１３族から選ばれた少なくとも１種の金属を含む請求項１に記載の方法。
【請求項３】  前記金属がチタン、ジルコニウム、バナジウム、鉄、クロム、ニッケル及びアルミニウムからなる群から選ばれる請求項２に記載の方法。
【請求項４】  前記金属がチタン、ジルコニウム及びバナジウムからなる群から選ばれる請求項３に記載の方法。
【請求項５】  前記オレフィン重合触媒が担体上に担持されている請求項１に記載の方法。
【請求項６】  前記担体がシリカ、アルミナ、塩化マグネシウム及びそれらの混合物からなる群から選ばれる請求項５に記載の方法。
【請求項７】  前記オレフィン重合触媒が酸化クロム触媒、有機クロム触媒、チーグラー−ナッタ触媒、オレフィンを重合させて１〜２．５の分子量分布（ＭＷＤ）を有するオレフィンのホモポリマー及びインターポリマーを生成するオレフィン重合触媒、メタロセン触媒、陽イオン性アルミニウムアルキルアミジナート触媒、陽イオン性ニッケルアルキルジイミン触媒、中性ニッケルアルキルサリチルアルジミナト触媒、陽イオン性鉄アルキルピリジンビスイミン触媒並びに陽イオン性チタンアルキルジアミド触媒からなる群から選ばれる請求項２に記載の方法。
【請求項８】  前記オレフィン重合触媒が酸化クロム触媒、有機クロム触媒、チーグラー−ナッタ触媒、メタロセン触媒並びにオレフィンを重合させて１〜２．５の分子量分布（ＭＷＤ）を有するオレフィンのホモポリマー及びインターポリマーを生成するオレフィン重合触媒からなる群から選ばれる請求項７に記載の方法。
【請求項９】  前記オレフィン重合触媒が酸化クロム触媒、チーグラー−ナッタ触媒及びメタロセン触媒からなる群から選ばれる請求項８に記載の方法。
【請求項１０】  重合媒体にハロゲン化炭化水素を添加することを更に含む請求項１に記載の方法。
【請求項１１】  前記ハロゲン化炭化水素がジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる請求項１０に記載の方法。
【請求項１２】  前記ハロゲン化炭化水素がクロロホルムである請求項１１に記載の方法。
【請求項１３】  １〜１０，０００容積ｐｐｍの範囲の量で一酸化二窒素を添加する請求項１に記載の方法。
【請求項１４】  前記重合媒体が気相である請求項１に記載の方法。
【請求項１５】  前記重合媒体がスラリー相である請求項１に記載の方法。
【請求項１６】  前記オレフィンがエチレンであり、前記の少なくとも１種又はそれ以上の他のオレフィンが炭素数３〜１６のオレフィンからなる群から選ばれる請求項１に記載の方法。
【請求項１７】  前記の少なくとも１種又はそれ以上の他のオレフィンが１−オクテン、１−ヘキセン、４−メチルペンタ−１−エン、１−ペンテン、１−ブテン及びプロピレンからなる群から選ばれる請求項１６に記載の方法。
【請求項１８】  エチレンと少なくとも１種又はそれ以上のオレフィンの重合によって得られるインターポリマーが該インターポリマーの少なくとも５０重量％の量でエチレンを含む請求項１６に記載の方法。
【請求項１９】  重合媒体中、オレフィン重合触媒の存在下におけるオレフィン及び／又はオレフィンと少なくとも１種もしくはそれ以上の他のオレフィンの重合において、一酸化二窒素の不存在下で得られる静電荷のレベルよりも低いレベルに重合媒体中の静電荷を減少させるのに充分な量で一酸化二窒素を重合媒体中に投入して静電荷を減少させる方法。
【請求項２０】  前記オレフィン重合触媒が本明細書中で定義した元素の周期表の第３族、第４族、第５族、第６族、第７族、第８族、第９族、第１０族、第１１族、第１２族及び／又は第１３族から選ばれた少なくとも１種の金属を含む請求項１９に記載の方法。
【請求項２１】  前記金属がチタン、ジルコニウム、バナジウム、鉄、クロム、ニッケル及びアルミニウムからなる群から選ばれる請求項２０に記載の方法。
【請求項２２】  前記金属がチタン、ジルコニウム及びバナジウムからなる群から選ばれる請求項２１に記載の方法。
【請求項２３】  前記オレフィン重合触媒が担体上に担持されている請求項１９に記載の方法。
【請求項２４】  前記担体がシリカ、アルミナ、塩化マグネシウム及びそれらの混合物からなる群から選ばれる請求項２３に記載の方法。
【請求項２５】  前記オレフィン重合触媒が酸化クロム触媒、有機クロム触媒、チーグラー−ナッタ触媒、オレフィンを重合させて１〜２．５の分子量分布（ＭＷＤ）を有するオレフィンのホモポリマー及びインターポリマーを生成するオレフィン重合触媒、メタロセン触媒、陽イオン性アルミニウムアルキルアミジナート触媒、陽イオン性ニッケルアルキルジイミン触媒、中性ニッケルアルキルサリチルアルジミナト触媒、陽イオン性鉄アルキルピリジンビスイミン触媒並びに陽イオン性チタンアルキルジアミド触媒からなる群から選ばれる請求項２０に記載の方法。
【請求項２６】  前記オレフィン重合触媒が酸化クロム触媒、有機クロム触媒、チーグラー−ナッタ触媒、メタロセン触媒並びにオレフィンを重合させて１〜２．５の分子量分布（ＭＷＤ）を有するオレフィンのホモポリマー及びインターポリマーを生成するオレフィン重合触媒からなる群から選ばれる請求項２５に記載の方法。
【請求項２７】  前記オレフィン重合触媒が酸化クロム触媒、チーグラー−ナッタ触媒及びメタロセン触媒からなる群から選ばれる請求項２６に記載の方法。
【請求項２８】  重合媒体にハロゲン化炭化水素を添加することを更に含む請求項１９に記載の方法。
【請求項２９】  前記ハロゲン化炭化水素がジクロロメタン、クロロホルム、四塩化炭素、クロロフルオロメタン、クロロジフルオロメタン、ジクロロジフルオロメタン、フルオロジクロロメタン、クロロトリフルオロメタン、フルオロトリクロロメタン及び１，２−ジクロロエタンからなる群から選ばれる請求項２８に記載の方法。
【請求項３０】  前記ハロゲン化炭化水素がクロロホルムである請求項２９に記載の方法。
【請求項３１】  １〜１０，０００容積ｐｐｍの範囲の量で一酸化二窒素を重合媒体に添加する請求項１９に記載の方法。
【請求項３２】  前記重合媒体が気相である請求項１９に記載の方法。
【請求項３３】  前記重合媒体がスラリー相である請求項１９に記載の方法。
【請求項３４】  前記オレフィンがエチレンであり、前記の少なくとも１種又はそれ以上の他のオレフィンが炭素数３〜１６のオレフィンからなる群から選ばれる請求項１９に記載の方法。
【請求項３５】  前記の少なくとも１種又はそれ以上の他のオレフィンが１−オクテン、１−ヘキセン、４−メチルペンタ−１−エン、１−ペンテン、１−ブテン及びプロピレンからなる群から選ばれる請求項３４に記載の方法。
【請求項３６】  エチレンと少なくとも１種又はそれ以上のオレフィンの重合によって得られるインターポリマーが該インターポリマーの少なくとも５０重量％の量でエチレンを含む請求項３４に記載の方法。
【請求項３７】  請求項１９の方法に従って製造されたポリオレフィンから製造されたフィルム。
【請求項３８】  請求項１９の方法に従って製造されたポリオレフィンから製造された製品。